(57)【要約】【課題】  直飲み式の携帯飲料容器において、複数人で飲料を共用できるようにすること。【解決手段】  上端部に設けた飲み口２０から貯液部１４内の飲料を直に飲む携帯液体容器１１であって、上記飲み口２０を、ひとつの貯液部１４に対して複数設けた携帯飲料容器１１。【選択図】    図１
2005119698.tif 000002
【特許請求の範囲】
【請求項１】
上端部に設けた飲み口から貯液部内の飲料を直に飲む携帯液体容器であって、
上記飲み口を、ひとつの貯液部に対して複数設けた
携帯飲料容器。
【請求項２】
前記複数の飲み口には、飲み口を外観上識別する識別手段を設けた
請求項１に記載の携帯飲料容器。
【請求項３】
前記識別手段を、形状、模様若しくは色彩又はこれらの結合で構成した
請求項２に記載の携帯飲料容器。
【請求項４】
前記複数の飲み口を筒状に形成するとともに、これら飲み口には、飲み口の開口部を開閉可能に閉塞する蓋部を設け、
該蓋部及び／又は飲み口に、蓋部及び／又は飲み口を外観上識別可能にすべく色分けした
請求項１に記載の携帯飲料容器。
【請求項５】
前記飲み口に、飲み口部分から貯液部内へ固体が流入するのを防止する固体流入防止手段を設けた
請求項１から請求項４のうちのいずれか一項に記載の携帯飲料容器。
【請求項６】
前記貯液部を金属製魔法瓶で形成した
請求項１から請求項５のうちのいずれか一項に記載の携帯飲料容器。
【発明の詳細な説明】
【技術分野】
【０００１】
この発明は、水やお茶など各種の飲料を入れておく携帯型の携帯飲料容器に関する。
【背景技術】
【０００２】
このような携帯飲料容器には、大きく２つのタイプがある。ひとつは、内部の飲料を飲むコップや、飲むことを可能とする蓋を備えたもので、容器を傾けてコップや蓋に飲料を注いでから飲むものである。他のひとつは、容器の上端部に形成したひとつの飲み口に直接口を付けて飲む直飲み式のものである。
【０００３】
前者の容器では、液体を注ぎ出してから間接的に飲むので、ピクニックやハイキング等に出かけた時にひとつの容器の飲料を複数人で飲むことにさしたる抵抗はない。このため、飲料を共用できることによる利点があった。
【０００４】
しかし、後者の容器では、飲料を飲むのに唯一の飲み口に直接口を付けて飲むので、複数人で飲むことに大きな抵抗がある。このため、ピクニックやハイキング等で誰かが飲料を忘れたり、飲み干してしまって足りなかったりした時に対応できないなど、不便なことがあった。
【０００５】
従来、注ぎ出し式と直飲み式とを選択できるようにしたもの（特許文献１参照）が提案されていた。しかしこれは、上述のような不便な点を解消する一助にはなるものの、コップや蓋を設けなければならないので、部品点数は多く、飲むための手順も多いという難点がある。いわば、直飲み式の利点を減殺してしまうものであった。
【０００６】
【特許文献１】特開平９−３１３３６３号公報
【発明の開示】
【発明が解決しようとする課題】
【０００７】
そこでこの発明は、直飲み式の利点を有しつつも複数人で飲料を共用できるようにすることを主たる課題とする。
【課題を解決するための手段】
【０００８】
そのための手段は、上端部に設けた飲み口から貯液部内の飲料を直に飲む携帯液体容器であって、上記飲み口を、ひとつの貯液部に対して複数設けた携帯飲料容器であることを特徴とする。
【０００９】
貯液部内の飲料を飲む時には、複数の飲み口のうち自ら選択した飲み口から飲むことができる。飲料を共用する人がいる場合には、その共用する人同士で、自分の飲み口をあらかじめ決めておくと、飲料を共用することに対する抵抗感を低減又は皆無化することができる。
【００１０】
上記複数の飲み口には、飲み口を外観上識別する識別手段を設けるとよい。
【００１１】
上記識別手段は、飲み口自体又はその付属品を色分けしたり、飲み口に目印やラベルなどを設けたり、飲み口に取付ける蓋の形状を違えたりするなど、形状、模様若しくは色彩又はこれらの結合で適宜構成する。
【００１２】
具体的には、上記複数の飲み口を筒状に形成するとともに、これら飲み口には、飲み口の開口部を開閉可能に閉塞する蓋部を設け、該蓋部及び／又は飲み口に、蓋部及び／又は飲み口を外観上識別可能にすべく色分けする。
【００１３】
また、上記飲み口には、飲み口部分から貯液部内へ固体が流入するのを防止する固体流入防止手段を設けるとよい。
【００１４】
さらに、上記貯液部を金属製魔法瓶で形成すると、貯液部内の飲料を保温できるうえに、軽量で携帯に便利であるという利点がある。
【発明の効果】
【００１５】
以上のように、この発明によれば、直飲みをする飲み口を複数設けているので、飲み口を共用せずとも複数人で同一の飲料を飲むことができる。このため、飲料の共用が可能で、例えば飲料を忘れた人や足りなくなった人に分け与えることができて、便利である。
【００１６】
しかも、飲み口を複数設けた直飲み式であるので、コップやそれに類する蓋を設ける必要はなく、部品点数が少なく、また飲料を飲むための操作が簡単であるという、直飲み式飲料容器の利点を有する。
【００１７】
また、飲み口やそれに取付ける蓋部に、色などからなる識別手段を設けて、飲み口を外観上識別できるようにすると、飲み口を間違えることはなく便利である。また、色で識別手段を構成すると、飲み口がひとつである場合よりも外観上カラフルにすることができ、意匠観を増すことができる。
【００１８】
飲み口に、飲み口部分から貯液部内へ固体が流入するのを防止する固体流入防止手段を設けると、飲料を飲んだ時に食べカスなどが口についていた場合でもその食べカスなどが貯液部に入ることを防止できる。このため、貯液部内の液体をきれいに保つことができ、飲料を共用することの抵抗感を完全に無くすことができる。
【発明を実施するための最良の形態】
【００１９】
この発明を実施するための一形態を、以下図面を用いて説明する。  
図１は、携帯飲料容器１１（以下、容器という）の正面図、図２は側面図、図３は図２におけるＡ−Ａ線矢示断面図であり、この容器１１は、ステンレス製真空二重瓶からなる容器本体１２と、該容器本体１２の上端の開口部１２ａを着脱可能に閉塞する飲み口装置１３とからなる。
【００２０】
上記容器本体１２は、飲料を貯留する貯液部１４をひとつ有し、上端のみに上記開口部１２ａを有している。
【００２１】
上記飲み口装置１３は、内側から順に内肩部材１５、キャップゴム１６、外肩部材１７、蓋部材１８、および該蓋部材１８と上記外肩部材１７とをつなぎとめる係留部材１９とからなる。
【００２２】
上記内肩部材１５は、容器本体１２の上端部に外嵌するリング状に形成され、下部の外周に装飾のためくびれ状に形成した外表面部１５ａを形成し、該外表面部１５ａより上を、それより小径に形成して外周面に螺合用の雄ねじ部１５ｂを形成している。この内肩部材１５は、容器本体１２に対して嵌着し、一体化する。
【００２３】
この内肩部材１５は、容器本体１２に対して固定した時に容器本体１２の上端部が突出するような高さである。
【００２４】
そして、上記容器本体１２の上端部から突出する部分に、上記キャップゴム１６を嵌着する。このキャップゴム１６は、容器本体１２の上端部の内外周面に密着して被さる嵌合溝１６ａを有したリング状であって、容器本体１２の開口部１２ａと上記外肩部材１７との間をシールする。
【００２５】
上記外肩部材１７は、上記内肩部材１５の雄ねじ部１５ｂに螺合する雌ねじ部１７ａを下端部内周面に有した半球面を有する略ドーム形状である。そして上端面に、２つの飲み口２０，２０を突設している。
【００２６】
また内部には容器本体１２の開口部１２ａよりも若干小径の短筒状の連通口１７を形成し、この連通口１７ｂと容器本体１２との間を、上記キャップゴム１６でシールする。
【００２７】
上記飲み口２０は、筒状に形成し、半球面のやや正面側２箇所から、相互間に所定角度をつけてＶ字状に上に向けて突設し、上記蓋部材１８で飲み口２０の開口部２０ａを着脱可能に閉塞する。
【００２８】
飲み口２０の内部には、図３に示したように飲み２０の開口面積を細分化する氷止め部２１を一体形成している。氷止め部２１は、図４（ａ）に示したように十文字に形成するも、図４（ｂ）に示したように十文字の中心部にリング状部分を形成したものであるも、その他の形状であるもよい。この氷止め部２１は、保冷のために貯液部１４内に氷を入れた場合でも、飲料を飲む時に人体の口に対し不測に氷が流入することを防止し、安全性を確保する。
【００２９】
蓋部材１８は螺合により取付けるもので、この蓋部材１８を取付ける上記飲み口２０の外周面には雄ねじ部２０ｂを形成している。
【００３０】
この雄ねじ部２０ｂに螺合する雌ねじ部１８ａを有する蓋本体部材２２は、上端面を閉塞した筒状に形成し、下端縁に外周に突出する鍔部２２ａを設ける。そして、この鍔部２２ａの上に課相対回動可能に嵌るリング状の被取付け環２３を取付け、この被取付け環２３の取付け状態は蓋本体部材２２の外周面に挿嵌して嵌め殺しにする筒状の留め筒部材２４で保持する。
【００３１】
上記被取付け環２３は、一部に、図２に示したように、挿通孔２３ａを有した突出部２３ｂを形成し、上記外肩部材１７の上面に立設した立設片１７ｃに係留している。すなわち、立設片１７ｃに紐からなる上記係留部材１９を通す挿通孔１７ｄを設け、該挿通孔１７ｄに係留部材１９の中間部を留めるとともに、係留部材１９の両端部をそれぞれ、上記２つの被取付け環２３における挿通孔２３ａに留めつけている。留め方は、直接縛って行うも、別の部材を介して間接的に行うもよい。
【００３２】
また、上記留め筒部材２４は、図５に示したように他の部分とは異なる同色に設定し、２つの蓋部材１８においてそれぞれ色を違えている。蓋本体部材２２のみ、又は蓋本体部材２２と留め筒部材２４をその他の部分と異色に設定するもよい。このように、２つの飲み口２０に取付ける蓋部材１８の目立つ部分の色を違える事により、飲み口２０を識別（特定）しやすくする。すなわち、いずれの飲み口２０から飲んだのか、飲むのかが明確になるようにして（識別できるようにして）、複数人で飲む場合を考慮している。
【００３３】
このような、飲み口２０の識別は、形状、模様、若しくは色彩又はこれらの結合で行えばよく、上述のように色（色彩）のみで行わずとも良い。例えば、図６に示したように、留め筒部材２４の形状の違いのみで飲み口２０の特定を行うことができる。
【００３４】
なお、上記説明で飲み口２０の識別とは、蓋部材１８がいずれの飲み口にも着脱可能である限り飲み口２０自体を特定できるものではないが、使用に当たっては、いずれか一方の蓋部材１８のみを開けることを前提としているため、自ずと飲み口２０が識別できる意味である。
【００３５】
飲み口２０自体を、形状、模様、若しくは色彩又はこれらの結合で識別可能にするも良いが、筒状の飲み口２０は、これを覆う蓋部材１８を有しているため、蓋部材１８に識別手段を設けるほうが、一目瞭然に識別可能であるという利点がある。
【００３６】
このように構成した容器１１では、２つの飲み口のいずれからでも同一貯液部１４内の飲料を飲むことができる。好きないずれか一方の飲み口２０の蓋部材１８を外して、容器１１を傾ければよい。
【００３７】
一人で使用することもできるが、２人で飲料を共有する場合には、誰がいずれの飲み口２０を使用するかをあらかじめ決めておく。飲み口２０は、蓋部材１８で識別できるので間違えることはなく、２人で飲料を共有しても抵抗感はない。
【００３８】
また、一人で使用する場合でも、一方の飲み口２０のみを使用して、他方の飲み口２０を使用しないでおけば、飲料を忘れて困った人や飲み干してしまって足りなくなった人に分けることも、さしたる抵抗感なしにできる。
【００３９】
しかも、飲料を飲むのに際しては、蓋部材１８を開けるだけでよく、簡単である。コップ等がいらない分、部品点数を抑えることができるなどの利点も有する。
【００４０】
なお、図７に示したように、飲み口２０に、飲み口２０部分から貯液部１４内ヘ固体が流入するのを防止する固体流入防止部材２５を設けるとよい。この固体流入防止部材２５は、飲み口２０の先端部内に着脱可能に納まる短い筒状で、上端に外側に張り出す係止縁２５ａを有し、下端には、その開口部を覆う網目状のろ過部２５ｂを形成している。このろ過部２５ｂは、貯液部１４内からの飲料は通すが、飲み口２０につける人体の口に付着した食べカスなどは通さない目合いに形成している。
【００４１】
このような固体流入防止部材２５を設けると、飲料を飲んだ時に食べカスなどが口についていた場合でもその食べカスなどが貯液部１４に入ることを防止できるため、貯液部１４内の液体をきれいに保つことができ、飲料を共用することの抵抗感を完全に無くすことができる。
【００４２】
固体流入防止部材２５は、飲み口２０に対して着脱可能であるので、不要であれば外すことができ、また、きれいに洗浄することも容易に行える利点を有する。
【００４３】
また、上述の例では図２に示したように飲み口２０を側面視真っ直ぐ上方へ立設したが、図８に示したように、適宜角度θ傾けるもよい。一方の飲み口２０から飲料を飲む時に、他方の飲み口２０が人体の鼻に当たるなどして邪魔になることをよりよく防止できる。
【００４４】
図９に示したように、２つの飲み口２０，２０を相反する方向に傾けるもよい。
【００４５】
なお、図７、図８、図９において、上記説明と同一の部位については、同一の符号を付して、その詳しい説明を省略した。
【００４６】
以上の一形態における構成と、この発明の構成との対応において、  
容器本体１２は、この発明の金属製魔法瓶に対応し、  
以下同様に、  
蓋部材１８は、蓋部に対応し、  
蓋部材１８の留め筒部材２４の色彩及び形状は、識別手段に対応し、  
固体流入防止部材２５は、固体流入防止手段に、それぞれ対応するも、
この発明は上記一形態の構成のみに限定されるものではない。
【００４７】
例えば、容器本体１２は保温性を有する容器以外の、例えばＰＰ、ＰＥ、ＰＥＴなど適宜の合成樹脂製容器等であるも、飲料販売用の包装容器であるもよい。貯液部を形成する内容器と該内容器を収納する外容器で構成するもよい。
【００４８】
また貯液部１４を複数設けるもよい。
【００４９】
蓋部は、別体の蓋部材１８で形成するほか、例えば飲み口に進退可能に取付けられており引っ張れば貯液部１４内の液体を飲むことができるような一体型のもので構成するもよい。
【００５０】
固体流入防止手段は、飲み口に対して一体に設けるもよい。
【００５１】
さらに、飲み口を２つ以上設けるもよい。
【図面の簡単な説明】
【００５２】
【図１】携帯飲料容器の正面図。
【図２】携帯飲料容器の側面図。
【図３】図２におけるＡ−Ａ線矢示拡大断面図。
【図４】飲み口内の横断面図。
【図５】要部の正面図。
【図６】他の例に係る要部の正面図。
【図７】飲み口の縦断面図。
【図８】他の例に係る飲料容器の要部側面図。
【図９】他の例に係る飲料容器の要部側面図。
【符号の説明】
【００５３】
１１…携帯飲料容器
１２…容器本体
１４…貯液部
１８…蓋部材
２０…飲み口
２０ａ…開口部
２４…留め筒部材
２５…固体流入防止部材
【図１】
2005119698.tif 000003
【図２】
2005119698.tif 000004
【図３】
2005119698.tif 000005
【図４】
2005119698.tif 000006
【図５】
2005119698.tif 000007
【図６】
2005119698.tif 000008
【図７】
2005119698.tif 000009
【図８】
2005119698.tif 000010
【図９】
2005119698.tif 000011